(57)【要約】【課題】排紙トレイに排出される原稿の排出不良を防止することができる画像読取装置及び画像形成装置を提供する。【解決手段】原稿検出センサ２６により原稿のサイズが検出され、その結果がプリンタコントローラ３５に出力される。位置決め部検出センサ４４により原稿ストッパ３０、第１原稿幅ガイド３４及び第２原稿幅ガイド３９の排紙トレイ２８に対する位置が検出され、その結果がプリンタコントローラ３５に出力される。そして、原稿検出センサ２６及び位置決め部検出センサ４４による検出結果とＲＡＭ３６に記憶されたプログラムとに基づいて、原稿のサイズと、原稿ストッパ３０、第１原稿幅ガイド３４及び第２原稿幅ガイド３９の排紙トレイ２８に対する位置との関係の適否が判断される。この結果、否と判断された場合、液晶表示部２７Ａにエラーが表示され、スピーカ４９から任意の警告音が出力される。【選択図】      図２
2008199295.tif 000002
【特許請求の範囲】
【請求項１】
原稿が載置される原稿トレイと、画像が読み取られた原稿が排出される排紙トレイと、を有する画像読取装置であって、
前記排紙トレイ上に移動可能に設けられ前記排紙トレイに排出された原稿を位置決めする原稿位置決め部と、
前記原稿トレイに載置された原稿を検出する第１検出部と、
前記排紙トレイ上の前記原稿位置決め部を検出する第２検出部と、
前記第１検出部及び前記第２検出部の検出結果に基づいて、原稿のサイズと前記原稿位置決め部の前記排紙トレイに対する位置との関係の適否を判断する制御部と、
前記制御部により否と判断された場合にエラーを報知する報知部と、
を含んで構成されたことを特徴とする画像読取装置。
【請求項２】
画像が読み取られた原稿が排出される排紙トレイを有する画像読取装置であって、
原稿の読取を開始させる操作部と、
前記排紙トレイ上に移動可能に設けられ前記排紙トレイに排出された原稿を位置決めする原稿位置決め部と、
前記排紙トレイ上の前記原稿位置決め部を検出する検出部と、
前記操作部の操作により入力又は選択された原稿のサイズと前記検出部の検出結果とに基づいて、原稿のサイズと前記原稿位置決め部の前記排紙トレイに対する位置との関係の適否を判断する制御部と、
前記制御部により否と判断された場合にエラーを報知する報知部と、
を含んで構成されたことを特徴とする画像読取装置。
【請求項３】
原稿が載置される原稿トレイと、画像が読み取られた原稿が排出される排紙トレイと、を有する画像読取装置であって、
前記排紙トレイ上に移動可能に設けられ前記排紙トレイに排出された原稿を位置決めする原稿位置決め部と、
前記原稿位置決め部を移動させる駆動部と、
前記原稿トレイに載置された原稿を検出する第１検出部と、
前記排紙トレイ上の前記原稿位置決め部を検出する第２検出部と、
前記第１検出部及び前記第２検出部の検出結果に基づいて、前記原稿位置決め部が任意の位置に移動するように前記駆動部を制御する制御部と、
を含んで構成されたことを特徴とする画像読取装置。
【請求項４】
画像が読み取られた原稿が排出される排紙トレイを有する画像読取装置であって、
原稿の読取を開始させる操作部と、
前記排紙トレイ上に移動可能に設けられ前記排紙トレイに排出された原稿を位置決めする原稿位置決め部と、
前記原稿位置決め部を移動させる駆動部と、
前記排紙トレイ上の前記原稿位置決め部を検出する検出部と、
前記操作部の操作により入力又は選択された原稿のサイズと前記検出部の検出結果とに基づいて、前記原稿位置決め部が任意の位置に移動するように前記駆動部を制御する制御部と、
を含んで構成されたことを特徴とする画像読取装置。
【請求項５】
請求項１乃至４のいずれか１項に記載の画像読取装置を有し、
前記画像読取装置で読み取った原稿の画像を用紙に形成することを特徴とする画像形成装置。
【発明の詳細な説明】
【技術分野】
【０００１】
本発明は、原稿の画像を読み取る画像読取装置、及び原稿の画像を読み取り、その読み取った画像を用紙に形成する画像形成装置に関する。
【背景技術】
【０００２】
従来の画像読取装置や画像形成装置の中には、原稿をセットする原稿トレイと、原稿トレイ上の原稿を任意の画像読取部位に搬送するための原稿自動搬送装置と、原稿自動搬送装置で搬送された原稿を排出する排紙トレイと、が設けられているものがある。ここで、例えば、排紙トレイには、排出された原稿が排紙トレイから飛び出すことを防止するため、原稿の排出方向の移動を制限する原稿ストッパ、原稿の幅方向の移動を規制する一対の原稿幅ガイドが設けられている。特に、原稿の画像を高速で読み取るタイプの高速スキャナが内蔵されている画像読取装置や画像形成装置では、原稿の排出速度が格段に上がるため、原稿の排出方向の移動を制限する原稿ストッパの役目が重要になる。
【特許文献１】特開平１０−２０５６８号公報
【発明の開示】
【発明が解決しようとする課題】
【０００３】
ところで、上記従来の画像読取装置や画像形成装置では、原稿のサイズと原稿ストッパの位置や原稿幅ガイドの位置とが合わない場合、具体的には、原稿ストッパの位置が必要以上に原稿自動搬送装置側に寄っていたり、原稿幅ガイドの離間幅が原稿の紙幅よりも小さい場合には、排出された原稿が原稿ストッパや原稿幅ガイドに突き当たり、原稿の排出不良が生じてしまう。特に、原稿の画像を高速で読み取るタイプの高速スキャナが内蔵されている画像読取装置や画像形成装置では、原稿ストッパや原稿幅ガイドに突き当たった原稿が折れ曲がるなどのおそれがある。
【０００４】
そこで、本発明は、上記事情を考慮し、排紙トレイに排出される原稿の排出不良を防止することができる画像読取装置及び画像形成装置を提供することを目的とする。
【課題を解決するための手段】
【０００５】
請求項１に記載の発明は、原稿が載置される原稿トレイと、画像が読み取られた原稿が排出される排紙トレイと、を有する画像読取装置であって、前記排紙トレイ上に移動可能に設けられ前記排紙トレイに排出された原稿を位置決めする原稿位置決め部と、前記原稿トレイに載置された原稿を検出する第１検出部と、前記排紙トレイ上の前記原稿位置決め部を検出する第２検出部と、前記第１検出部及び前記第２検出部の検出結果に基づいて、原稿のサイズと前記原稿位置決め部の前記排紙トレイに対する位置との関係の適否を判断する制御部と、前記制御部により否と判断された場合にエラーを報知する報知部と、を含んで構成されたことを特徴とする。
【０００６】
請求項２に記載の発明は、画像が読み取られた原稿が排出される排紙トレイを有する画像読取装置であって、原稿の読取を開始させる操作部と、前記排紙トレイ上に移動可能に設けられ前記排紙トレイに排出された原稿を位置決めする原稿位置決め部と、前記排紙トレイ上の前記原稿位置決め部を検出する検出部と、前記操作部の操作により入力又は選択された原稿のサイズと前記検出部の検出結果とに基づいて、原稿のサイズと前記原稿位置決め部の前記排紙トレイに対する位置との関係の適否を判断する制御部と、前記制御部により否と判断された場合にエラーを報知する報知部と、を含んで構成されたことを特徴とする。
【０００７】
請求項３に記載の発明は、原稿が載置される原稿トレイと、画像が読み取られた原稿が排出される排紙トレイと、を有する画像読取装置であって、前記排紙トレイ上に移動可能に設けられ前記排紙トレイに排出された原稿を位置決めする原稿位置決め部と、前記原稿位置決め部を移動させる駆動部と、前記原稿トレイに載置された原稿を検出する第１検出部と、前記排紙トレイ上の前記原稿位置決め部を検出する第２検出部と、前記第１検出部及び前記第２検出部の検出結果に基づいて、前記原稿位置決め部が任意の位置に移動するように前記駆動部を制御する制御部と、を含んで構成されたことを特徴とする。
【０００８】
請求項４に記載の発明は、画像が読み取られた原稿が排出される排紙トレイを有する画像読取装置であって、原稿の読取を開始させる操作部と、前記排紙トレイ上に移動可能に設けられ前記排紙トレイに排出された原稿を位置決めする原稿位置決め部と、前記原稿位置決め部を移動させる駆動部と、前記排紙トレイ上の前記原稿位置決め部を検出する検出部と、前記操作部の操作により入力又は選択された原稿のサイズと前記検出部の検出結果とに基づいて、前記原稿位置決め部が任意の位置に移動するように前記駆動部を制御する制御部と、を含んで構成されたことを特徴とする。
【０００９】
請求項５に記載の発明は、請求項１乃至４のいずれか１項に記載の画像読取装置を有し、前記画像読取装置で読み取った原稿の画像を用紙に形成する画像形成装置であることを特徴とする。
【発明の効果】
【００１０】
請求項１に記載の発明によれば、原稿トレイに載置された原稿は、画像が読み取られた後、排紙トレイに排出される。排紙トレイ上には原稿位置決め部が移動可能に設けられており、排紙トレイに排出された原稿は原稿位置決め部により位置決めされる。
【００１１】
ここで、原稿トレイに載置された原稿が第１検出部により検出され、排紙トレイ上の原稿位置決め部が第２検出部により検出される。そして、第１検出部及び第２検出部の検出結果に基づいて、原稿のサイズと原稿位置決め部の排紙トレイに対する位置との関係の適否が制御部により判断される。この結果、制御部により否と判断された場合には、報知部によりエラーが報知される。
【００１２】
このように、原稿トレイ上の原稿のサイズに対して原稿位置決め部の位置が適切ではない場合には、エラーを報知してユーザに知らせることができる。この報知を受けて、ユーザが原稿位置決め部を適切な位置に適宜設定することにより、原稿の排出不良を防止できる。
【００１３】
請求項２に記載の発明によれば、ユーザなどにより操作部が操作されて原稿のサイズが入力又は選択されると、原稿は、その画像が読み取られて、その後、排紙トレイに排出される。排紙トレイ上には原稿位置決め部が移動可能に設けられており、排紙トレイに排出された原稿は原稿位置決め部により位置決めされる。
【００１４】
ここで、排紙トレイ上の原稿位置決め部が検出部により検出される。そして、操作部の操作により入力又は選択された原稿のサイズと検出部の検出結果とに基づいて、原稿のサイズと原稿位置決め部の排紙トレイに対する位置との関係の適否が制御部により判断される。この結果、制御部により否と判断された場合には、報知部によりエラーが報知される。
【００１５】
このように、操作部により入力又は選択された原稿のサイズに対して原稿位置決め部の位置が適切ではない場合には、エラーを報知してユーザに知らせることができる。この報知を受けて、ユーザが原稿位置決め部を適切な位置に適宜設定することにより、原稿の排出不良を防止できる。
【００１６】
請求項３に記載の発明によれば、原稿トレイに載置された原稿は、画像が読み取られた後、排紙トレイに排出される。排紙トレイ上には原稿位置決め部が移動可能に設けられており、排紙トレイに排出された原稿は原稿位置決め部により位置決めされる。
【００１７】
ここで、原稿トレイに載置された原稿が第１検出部により検出され、排紙トレイ上の原稿位置決め部が第２検出部により検出される。そして、第１検出部及び第２検出部の検出結果に基づいて、原稿位置決め部が任意の位置に移動するように、駆動部が制御部により制御される。
【００１８】
このように、原稿トレイ上の各原稿のサイズに対して原稿位置決め部が最適な位置となるように自動的に制御されるため、原稿の排出不良を防止できる。
【００１９】
請求項４に記載の発明によれば、ユーザなどにより操作部が操作されて原稿のサイズが入力又は選択されると、原稿は、その画像が読み取られて、その後、排紙トレイに排出される。排紙トレイ上には原稿位置決め部が移動可能に設けられており、排紙トレイに排出された原稿は原稿位置決め部により位置決めされる。
【００２０】
ここで、排紙トレイ上の原稿位置決め部が検出部により検出される。そして、操作部の操作により入力又は選択された原稿のサイズと検出部の検出結果とに基づいて、原稿位置決め部が任意の位置に移動するように、駆動部が制御部により制御される。
【００２１】
このように、操作部の操作により入力又は選択された原稿のサイズに対して原稿位置決め部が最適な位置となるように自動的に制御されるため、原稿の排出不良を防止できる。
【００２２】
請求項５に記載の発明によれば、請求項１乃至４のいずれか１項に記載の画像読取装置を有しており、その画像読取装置で読み取った原稿の画像が用紙に形成されるので、この画像形成装置においても原稿の排出不良を防止できる。
【発明を実施するための最良の形態】
【００２３】
次に、本発明の第１実施形態に係る画像読取装置及び画像形成装置について、図面を参照して説明する。なお、以下の実施形態では、画像読取装置を備えた画像形成装置として説明する。
【００２４】
先ず、画像形成装置の外観構成を説明する。
【００２５】
図１に示すように、画像形成装置１０は、画像読取装置１１を備えている。この画像読取装置１１は、原稿台１５を備えている。この原稿台１５には、走査可能に設けられ原稿の画像（情報）を読み取るスキャナ２９（図４参照）が内蔵されている。また、原稿台１５の上面には、原稿押さえカバー１７が原稿台１５の上面に対して開閉可能となるように取り付けられている。原稿台１５には、操作部２７（図４参照）が取り付けられている。この操作部２７をユーザなどが操作することにより、原稿の画像読取などが開始される。操作部２７には、任意の情報を表示する液晶表示部２７Ａ（報知部）と、複数の入力ボタン２７Ｂなどが配置されている。また、原稿押さえカバー１７の上面には、原稿を任意の画像読取部位に搬送するための自動原稿搬送装置１９が取り付けられている。
【００２６】
また、自動原稿搬送装置１９の近傍には、原稿を載置する原稿トレイ２１が取り付けられている。また、原稿トレイ２１には、原稿トレイ２１上をその幅方向に移動して原稿を規制する原稿規制ガイド２４が設けられている。また、原稿トレイ２１には、原稿を検出する原稿検出センサ２６（第１検出部、図１では図示省略、図４参照）が設けられている。すなわち、原稿検出センサ２６は、原稿規制ガイド２４の位置を検出する光センサなどで構成されており、原稿規制ガイド２４の位置から原稿のサイズを特定するものである。なお、原稿検出センサ２６は、原稿トレイ２１にセットされた原稿に接触して原稿を検出する接触センサ（あるいは圧力センサ）でもよい。すなわち、この原稿検出センサ２６は、原稿トレイ２１にセットされた原稿の紙幅方向端部を検出し、その検出結果に基づいて原稿のサイズを特定するものである。なお、原稿検出センサ２６による検出結果は、プリンタコントローラ３５（図４参照、制御部）に対して出力されるようになっている。
【００２７】
また、原稿トレイ２１の下方（原稿押さえカバー１７の上面）であって自動原稿搬送装置１９の近傍には、排紙トレイ２８が形成されている。原稿トレイ２１にセットされた原稿は、自動原稿搬送装置１９により任意の画像読取部位に供給されて画像が読み取られ、その後、排紙トレイ２８に排出される。なお、原稿の画像は、任意の画像読取部位においてスキャナ２９により読み取られる。
【００２８】
ここで、図２及び図３に示すように、排紙トレイ２８には、原稿の搬送方向（排出方向）に対して原稿を位置決めする原稿ストッパ３０（原稿位置決め部）が設けられている。すなわち、排紙トレイ２８の上面には、原稿の搬送方向に沿って延びる第１長溝部３２が形成されている。この第１長溝部３２には、原稿ストッパ３０が設けられている。原稿ストッパ３０は、側面視にてＬ字状に形成され排紙トレイ２８上に位置する原稿ストッパ本体３０Ａと、第１長溝部３２の内部に挿入し原稿ストッパ本体３０Ａを第１長溝部３２に沿って移動可能となるように原稿ストッパ本体３０Ａを支持する原稿ストッパ支持部（図示省略）と、で構成されている。このため、原稿ストッパ３０は、第１長溝部３２に沿って移動可能となり、サイズの小さな原稿の画像を読み取る場合には、原稿ストッパ３０を自動原稿搬送装置１９側に移動させ、サイズの大きな原稿の画像を読み取る場合には、原稿ストッパ３０を自動原稿搬送装置１９側と反対側に移動させることができる。なお、本実施形態では、原稿ストッパ３０は、手動により移動可能となる。
【００２９】
また、排紙トレイ２８には、原稿の紙幅方向に対して原稿を位置決めする第１原稿幅ガイド３４（原稿位置決め部）が設けられている。すなわち、排紙トレイ２８の上面の幅方向一方側には、原稿の紙幅方向に沿って延びる第２長溝部３７が形成されている。この第２長溝部３７には、上記した第１原稿幅ガイド３４が設けられている。第１原稿幅ガイド３４は、側面視にてＬ字状に形成され排紙トレイ２８上に位置する第１原稿幅ガイド本体３４Ａと、第２長溝部３７の内部に挿入し第１原稿幅ガイド本体３４Ａを第２長溝部３７に沿って移動可能となるように第１原稿幅ガイド本体３４Ａを支持する第１原稿幅ガイド支持部（図示省略）と、で構成されている。このため、第１原稿幅ガイド３４は、第２長溝部３７に沿って移動可能となり、サイズの小さな原稿の画像を読み取る場合には、第１原稿幅ガイド３４を排紙トレイ２８の中央部側に移動させ、サイズの大きな原稿の画像を読み取る場合には、第１原稿幅ガイド３４を排紙トレイ２８の端部側に移動させることができる。また、第１原稿幅ガイド本体３４Ａには、自動原稿搬送装置１９から排出された原稿を原稿ストッパ３０側に導くための誘導傾斜部３４Ｂが形成されている。この誘導傾斜部３４Ｂは、自動原稿搬送装置１９に近づくに従って第１原稿幅ガイド３４と第２原稿幅ガイド３９との離間距離が一定の割合で大きくなるように傾斜して形成されている。このため、自動原稿搬送装置１９から排出された原稿は、誘導傾斜部３４Ｂに接触することにより第１原稿幅ガイド３４と第２原稿幅ガイド３９との間に容易に導かれる。なお、本実施形態では、第１原稿幅ガイド３４は、手動により移動可能となる。
【００３０】
また、排紙トレイ２８には、原稿の紙幅方向に対して原稿を位置決めする第２原稿幅ガイド３９（原稿位置決め部）が設けられている。すなわち、排紙トレイ２８の上面の幅方向一方側には、原稿の紙幅方向に沿って延びる第３長溝部４１が形成されている。この第３長溝部４１には、上記した第２原稿幅ガイド３９が設けられている。第２原稿幅ガイド３９は、側面視にてＬ字状に形成され排紙トレイ２８上に位置する第２原稿幅ガイド本体３９Ａと、第３長溝部４１の内部に挿入し第２原稿幅ガイド本体３９Ａを第３長溝部４１に沿って移動可能となるように第２原稿幅ガイド本体３９Ａを支持する第２原稿幅ガイド支持部（図示省略）と、で構成されている。このため、第２原稿幅ガイド３９は、第３長溝部４１に沿って移動可能となり、サイズの小さな原稿の画像を読み取る場合には、第２原稿幅ガイド３９を排紙トレイ２８の中央部側に移動させ、サイズの大きな原稿の画像を読み取る場合には、第２原稿幅ガイド３９を端部側に移動させることができる。また、第２原稿幅ガイド本体３９Ａには、自動原稿搬送装置１９から排出された原稿を原稿ストッパ３０側に導くための誘導傾斜部３９Ｂが形成されている。この誘導傾斜部３９Ｂは、自動原稿搬送装置１９に近づくに従って第１原稿幅ガイド３４と第２原稿幅ガイド３９との離間距離が一定の割合で大きくなるように傾斜して形成されている。このため、自動原稿搬送装置１９から排出された原稿は、誘導傾斜部３９Ｂに接触することにより第１原稿幅ガイド３４と第２原稿幅ガイド３９との間に容易に導かれる。なお、本実施形態では、第２原稿幅ガイド３９は、手動により移動可能となる。また、第１原稿幅ガイド３４と第２原稿幅ガイド３９とは、図示しないピニオンギヤなどで連動している。
【００３１】
また、図４に示すように、排紙トレイ２８の内部には、原稿ストッパ３０、第１原稿幅ガイド３４及び第２原稿幅ガイド３９を検出し、原稿ストッパ３０、第１原稿幅ガイド３４及び第２原稿幅ガイド３９の排紙トレイ２８上に対する位置を特定するための位置決め部検出センサ４４（第２検出部、検出部）が設けられている。すなわち、位置決め部検出センサ４４は、原稿ストッパ３０、第１原稿幅ガイド３４及び第２原稿幅ガイド３９の位置を検出する光センサなどで構成されており、原稿ストッパ３０、第１原稿幅ガイド３４及び第２原稿幅ガイド３９の位置から原稿の収納可能サイズを特定するものである。なお、位置決め部検出センサ４４による検出結果は、プリンタコントローラ３５に対して出力されるようになっている。
【００３２】
また、図１に示すように、原稿台１５の下方には、筐体部４５が設けられている。筐体部４５には、複数の給紙カセット１３が配置されている。各給紙カセット１３には、スキャナ２９により読み取った原稿の画像を形成するための用紙が収納されている。
【００３３】
また、原稿台１５と筐体部４５との間には、画像が形成された用紙が排出される用紙排出部４７が形成されている。
【００３４】
ここで、本発明の第１実施形態に係る画像形成装置の内部構成について説明する。
【００３５】
図４に示すように、画像形成装置１０は、ファクシミリ機能とコピー機能を備えたいわゆる複合機として構成したもので、ＭＰＵ１２、ＮＣＵ（網制御回路：Ｎｅｔｗｏｒｋ  Ｃｏｎｔｒｏｌ  Ｕｎｉｔ）１４、ＭＯＤＥＭ１６、ＲＯＭ１８、ＲＡＭ２０、画像メモリ（ＤＲＡＭ）２３、ＣＯＤＥＣ（符号化・復号器：Ｃｏｄｅｒ  ａｎｄ  Ｄｅｃｏｄｅｒ）２５、操作部２７、スキャナ２９、パーソナルコンピュータ（ＰＣ）３１が接続されたプリンタＩ／Ｆ３３と、スピーカ４９（報知部）と、を備えている。
【００３６】
ＭＰＵ１２は、この装置を構成する各部を制御する。ＮＣＵ１４は、電話回線網（ＰＳＴＮ）との接続を制御し、受信原稿のデータを受信するとともに、相手先の電話番号（ＦＡＸ番号を含む）に対応したダイヤル信号を送出する機能及び着信を検出するための機能を備えている。ＭＯＤＥＭ１６は、ＩＴＵ（国際電気通信連合）−Ｔ勧告Ｔ．３０に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。
【００３７】
ＲＯＭ１８は、この装置を制御するためのプログラムを記憶する。ＲＡＭ２０は、データ等を一時的に記憶する。画像メモリ２３は、受信データやスキャナ２９で読み取った画データを一時的に記憶する。ＣＯＤＥＣ２５は、読み取った画データを送信するために、ＭＨ、ＭＲ、ＭＭＲ方式等により符号化（エンコード）し、受信画データを復号（デコード）する。操作部２７は、ユーザがＦＡＸ送信・受信、プリント（用紙印字）等の指示をするためのものである。特に、操作部２７を操作することにより、原稿画像の読み取りを開始させることができる。また、操作部２７の入力ボタン２７Ｂにより、これから画像が読み取られる原稿のサイズ（例えば、Ａ３サイズ、Ａ４サイズ、Ｂ３サイズ、Ｂ４サイズ、Ｂ５サイズなど）を入力あるいは選択することができる。また、スキャナ２９は、ＦＡＸ送信するときに原稿の画データを読み取る。
【００３８】
この装置のプリンタは、プリンタ各部を制御するプリンタコントローラ（制御手段）３５を備えている。また、プリンタコントローラ３５は、ＲＡＭ（記憶手段）３６を内蔵している。
【００３９】
また、プリンタコントローラ３５には、トナー濃度センサ９８が電気的に接続されており、トナー濃度センサ９８により検出された現像器（図示省略）内部のトナー濃度（トナー及びキャリアからなる現像剤の中でトナーが占める割合）の検出結果が出力される。
【００４０】
プリンタコントローラ３５には、操作部２７により原稿画像読取の操作がされたときに所定の制御を実行するためのプログラムが記憶されるＲＡＭ３６が内蔵されている。すなわち、ＲＡＭ３６には、原稿検出センサ２６及び位置決め部検出センサ４４の検出結果に基づいて、原稿のサイズと、原稿ストッパ３０、第１原稿幅ガイド３４及び第２原稿幅ガイド３９の排紙トレイ２８に対する位置との関係の適否を判断するためのプログラムが記憶されている。例えば、原稿検出センサ２６の検出結果により検出されたサイズの原稿（あるいは操作部２７で入力又は選択されたサイズの原稿）が排紙トレイ２８に排出された場合に、位置決め部検出センサ４４の検出結果により検出された現在の原稿ストッパ３０、第１原稿幅ガイド３４及び第２原稿幅ガイド３９の排紙トレイ２８に対する位置で決定される原稿収容可能サイズに収納可能か否かが判断される。なお、この判断基準として、原稿のサイズと、位置決め部検出センサ４４による検出結果に基づいて特定される原稿ストッパ３０、第１原稿幅ガイド３４及び第２原稿幅ガイド３９の排紙トレイ２８に対する位置と、の対応関係を示したテーブルが用いられる。
【００４１】
また、原稿検出センサ２６側で原稿のサイズを特定する構成の他に、原稿検出センサ２６により原稿の有無だけを検出し、この検出結果をプリンタコントローラ３５に送信して、プリンタコントローラ３５により所定のテーブルやプログラムに基づいて原稿のサイズを特定するようにしてもよい。
【００４２】
また、位置決め部検出センサ４４側で原稿ストッパ３０、第１原稿幅ガイド３４及び第２原稿幅ガイド３９の排紙トレイ２８に対する位置を特定する構成の他に、位置決め部検出センサ４４により原稿ストッパ３０、第１原稿幅ガイド３４及び第２原稿幅ガイド３９の有無だけを検出し、この検出結果をプリンタコントローラ３５に送信して、プリンタコントローラ３５により所定のテーブルやプログラムに基づいて原稿ストッパ３０、第１原稿幅ガイド３４及び第２原稿幅ガイド３９の排紙トレイ２８に対する位置（原稿ストッパ３０、第１原稿幅ガイド３４及び第２原稿幅ガイド３９とで区画された領域の原稿収納可能サイズ）を特定するようにしてもよい。
【００４３】
また、プリンタコントローラ３５により、原稿のサイズと、原稿ストッパ３０、第１原稿幅ガイド３４及び第２原稿幅ガイド３９の排紙トレイ２８に対する位置との関係が否と判断された場合、換言すれば、原稿のサイズが、原稿ストッパ３０、第１原稿幅ガイド３４及び第２原稿幅ガイド３９の排紙トレイ２８に対する位置により特定される原稿収納可能サイズよりも大きいと判断された場合には、プリンタコントローラ３５により操作部２７又はスピーカ４９が制御されてエラーが報知される。エラー報知の方法としては、液晶表示部２７Ａにエラーが表示される。例えば、液晶表示部２７Ａには、「原稿のサイズ、あるいは、原稿ストッパ３０、第１原稿幅ガイド３４及び第２原稿幅ガイド３９の排紙トレイ２８に対する位置を確認してください」、というような文字が表示される。また、スピーカ４９からユーザにエラーを知らせる所定の警告音が出力される。
【００４４】
なお、このエラー報知のタイミングとして、原稿の画像読取を開始させようとして操作部２７が操作されたときに、直ちに、エラーが報知されることが好ましい。
【００４５】
また、他のエラー報知の方法としては、ユーザなどが操作部２７を操作しても原稿の画像読取が開始されないように、プリンタコントローラ３５により制御される設定にしてもよい。
【００４６】
画像形成装置１０の内部には、感光体として外周面に光導電膜を有する感光ドラム４２が配置され、感光ドラム４２は、駆動源（図示せず）により回転される。この感光ドラム４２の周囲には、ブラシローラ式の帯電器として帯電ブラシ５３が配置され、この帯電ブラシ５３には帯電バイアス印加回路５４により所定のバイアス電圧が印加される。バイアス電圧が印加された帯電ブラシ５３は、回転しながら感光ドラム４２の外周面を約−７５０Ｖに一様に帯電させる。
【００４７】
感光ドラム４２の周囲に配置された露光部としてのＬＥＤプリントヘッド５０は、多数のＬＥＤを並設してなり、入力された画情報に基づき感光ドラム４２の外周面に光を照射し、外周面に画情報に対応する静電潜像を形成する。なお、ＬＥＤプリントヘッド５０の出力は、プリンタコントローラ３５により制御される。
【００４８】
また、感光ドラム４２の周囲に配置された現像器は、供給ローラ５８、現像ローラ４８、ブレード６０及び現像器バイアス印加回路６２等を備えている。供給ローラ５８は、トナーを入れたトナーケース（図示せず）からトナーを帯電させつつ現像ローラ４８に供給するもので、この供給ローラ５８には現像器バイアス印加回路６２により所定のバイアス電圧（−３００Ｖ〜−７００Ｖ、好ましくは約−５００Ｖ）が印加される。この供給ローラ５８と感光ドラム４２に接触して配置された現像ローラ４８には、現像器バイアス印加回路６２により所定のバイアス電圧（−３００Ｖ〜−４００Ｖ、好ましくは−３５０Ｖ）が印加される。なお、現像器バイアス印加回路６２は、プリンタコントローラ３５により制御される。
【００４９】
ブレード６０は、現像ローラ４８の外周面に弾性的に接触し、現像ローラ４８の外周面に付着したトナーの層厚を均一にするもので、このブレード６０には現像器バイアス印加回路６２により所定のバイアス電圧（−３００Ｖ〜−７００Ｖ、好ましくは約−４００Ｖ）が印加される。
【００５０】
さらに、感光ドラム４２の周囲に配置された転写器としての転写ローラ４０は、用紙搬送経路を挟んで感光ドラム４２の外周面と接触するように配置され、駆動源（図示せず）により回転される。この転写ローラ４０には転写バイアス印加回路３８により所定のバイアス電圧（転写バイアス）が印加される。転写ローラ４０にバイアス電圧が印加されると、転写ローラ４０には流入電流が流れるが、転写ローラ４０の流入電流は電流検出部６６により検出され、この検出された電流値がプリンタコントローラ３５のＲＡＭ３６に保存される。なお、転写バイアス印加回路３８は、プリンタコントローラ３５により制御される。
【００５１】
用紙搬送経路の用紙送り出し側に配置された定着部４５は、ハロゲンランプ等のヒータ４６を有する加熱ローラ６８、ヒータ駆動回路７０及びプレスローラ７２等で構成される。加熱ローラ６８のヒータ４６は、プリンタコントローラ３５に制御されたヒータ駆動回路７０によって所定の温度に加熱される。加熱ローラ６８とプレスローラ７２は、転写ローラ４０による転写後の用紙を加熱圧接することにより、用紙上のトナー画像を定着させる。
【００５２】
この画像形成装置１０には、感光ドラム４２の周囲にメモリ除去ブラシ７４が配置されている。このメモリ除去ブラシ７４は、転写後にも感光ドラム４２の外周面に画像の輪郭に沿って残るトナー画像（メモリ画像）を除去するためのもので、メモリ除去ブラシ７４にはメモリ除去ブラシ電圧印加回路７６により所定のバイアス電圧が印加される。
【００５３】
また、この画像形成装置１０には、加熱ローラ６８の表面温度を検知する温度センサ４３が配置されている。温度センサ４３による検知結果は、プリンタコントローラ３５に出力することができるようになっている。なお、温度センサ４３として、加熱ローラ６８の外周面に接触したサーミスタが好ましい。
【００５４】
また、感光ドラム４２の用紙搬送方向上流側には、用紙を検知するためのＰＳＳ（用紙検知センサ）７８が配置されている。このＰＳＳ７８の検知結果は、プリンタコントローラ３５に出力される。搬送されてくる用紙は、このＰＳＳ７８に検知され、この検知結果をトリガーとして、用紙搬送方向下流において用紙への画像形成が実現される。
【００５５】
さらに、画像形成装置１０には、給紙ローラ８０が設けられている。この給紙ローラ８０は、給紙カセット１３に収納された用紙を、順次、用紙搬送路（図示省略）に供給するためのものである。この給紙ローラ８０には、駆動源としてのモータ８２がクラッチ８４を介して接続されている。給紙ローラ８０がクラッチ８４を介してモータ８２と接続されている状態では、モータ８２の駆動力が給紙ローラ８０に伝達され、給紙ローラ８０が回転する。
【００５６】
上記のように構成された画像形成装置１０において、プリント動作は周知であるが、概説すると、帯電ブラシ５３により感光ドラム４２が約−７５０Ｖに一様に帯電され、その感光ドラム４２にＬＥＤプリントヘッド５０により画情報に対応する静電潜像が形成され、現像ローラ４８により感光ドラム４２上の静電潜像にトナーが吸着されて、感光ドラム４２上にトナー画像が形成される。そして、転写ローラ４０により感光ドラム４２上のトナー画像が用紙に転写される。転写後は、加熱ローラ６８とプレスローラ７２により用紙が加熱・加圧され、用紙にトナー画像が永久像として定着される。
【００５７】
次に、第１実施形態の画像形成装置の作用について説明する。
【００５８】
図１、図２及び図４に示すように、原稿トレイ２１に原稿がセットされると、原稿検出センサ２６により原稿のサイズが検出される。原稿検出センサ２６による原稿のサイズの検出結果は、プリンタコントローラ３５に出力される。また、位置決め部検出センサ４４により、原稿ストッパ３０、第１原稿幅ガイド３４及び第２原稿幅ガイド３９の排紙トレイ２８に対する位置が検出される。そして、位置決め部検出センサ４４による検出結果は、プリンタコントローラ３５に出力される。
【００５９】
プリンタコントローラ３５では、原稿検出センサ２６及び位置決め部検出センサ４４による検出結果とＲＡＭ３６に記憶されたプログラムとに基づいて、原稿のサイズと、原稿ストッパ３０、第１原稿幅ガイド３４及び第２原稿幅ガイド３９の排紙トレイ２８に対する位置との関係の適否が判断される。なお、プリンタコントローラ３５による判断処理の詳細は、上述した通りである。
【００６０】
この結果、プリンタコントローラ３５により、原稿のサイズと、原稿ストッパ３０、第１原稿幅ガイド３４及び第２原稿幅ガイド３９の排紙トレイ２８に対する位置との関係が否と判断された場合、換言すれば、原稿のサイズが、原稿ストッパ３０、第１原稿幅ガイド３４及び第２原稿幅ガイド３９の排紙トレイ２８に対する位置により特定される原稿収納可能サイズよりも大きいと判断された場合には、操作部２７において原稿の画像読取を開始させる操作がされたときに、液晶表示部２７Ａにエラーが表示され、あるいは、スピーカ４９から任意の警告音が出力される。
【００６１】
これにより、ユーザは、原稿のサイズと、原稿ストッパ３０、第１原稿幅ガイド３４及び第２原稿幅ガイド３９とで区画された領域の原稿収容可能サイズと、が一致していないことを認識することができる。そして、原稿のサイズと排紙トレイ２８上の原稿収容可能サイズとを一致させるように、原稿ストッパ３０、第１原稿幅ガイド３４及び第２原稿幅ガイド３９の排紙トレイ２８に対する位置を調整することにより、原稿の排出不良を防止することができる。
【００６２】
なお、原稿検出センサ２６により原稿のサイズを特定する構成に限られるものではなく、例えば、操作部２７により画像が読み取られる原稿のサイズが入力又は選択された場合にも、この入力結果又は選択結果と、位置決め部検出センサ４４による検出結果とに基づいて、原稿のサイズと、原稿ストッパ３０、第１原稿幅ガイド３４及び第２原稿幅ガイド３９の排紙トレイ２８に対する位置との関係の適否を判断するように構成してもよい。
【００６３】
また、エラーを報知するのではなく、操作部２７が操作されても、原稿の読取が開始されないように設定してもよい。
【００６４】
次に、本発明の第２実施形態に係る画像読取装置及び画像形成装置について説明する。なお、第１実施形態に係る画像読取装置及び画像形成装置と重複する構成については同符号を付し、適宜その説明を省略する。以下では、画像読取装置を備えた画像形成装置として説明する。
【００６５】
図５に示すように、本実施形態では、原稿ストッパ３０、第１原稿幅ガイド３４及び第２原稿幅ガイド３９を移動させる駆動部５１が設けられている。この駆動部５１として、例えば、原稿ストッパ３０、第１原稿幅ガイド３４及び第２原稿幅ガイド３９のそれぞれに貫通された各ボールネジと、ボールネジを回転駆動させるギヤと、ギヤに動力を伝達するモータなどで構成されている。なお、各ボールネジは、その軸方向が各長溝部の延在方向と一致するように配置されている。また、原稿ストッパ３０、第１原稿幅ガイド３４及び第２原稿幅ガイド３９のボールネジが貫通する取付部には、各ボールネジと螺合する溝がそれぞれ形成されている。これにより、モータによりギヤを介して各ボールネジが回転駆動されると、原稿ストッパ３０、第１原稿幅ガイド３４及び第２原稿幅ガイド３９は、各ボールネジの軸方向（各長溝部の延在方向）に移動する。なお、位置決め部検出センサ４４による原稿ストッパ３０、第１原稿幅ガイド３４及び第２原稿幅ガイド３９の排紙トレイ２８に対する位置の検出は、第１実施形態と同じである。また、駆動部５１の駆動は、プリンタコントローラ３５により制御されるようになっている。
【００６６】
本実施形態によれば、原稿トレイ２１に原稿がセットされると、原稿検出センサ２６により原稿のサイズが検出される。原稿検出センサ２６による原稿のサイズの検出結果は、プリンタコントローラ３５に出力される。また、位置決め部検出センサ４４により、原稿ストッパ３０、第１原稿幅ガイド３４及び第２原稿幅ガイド３９の排紙トレイ２８に対する位置が検出される。そして、位置決め部検出センサ４４による検出結果は、プリンタコントローラ３５に出力される。
【００６７】
プリンタコントローラ３５では、原稿検出センサ２６及び位置決め部検出センサ４４による検出結果とＲＡＭ３６に記憶されたプログラムとに基づいて、原稿のサイズと、原稿ストッパ３０、第１原稿幅ガイド３４及び第２原稿幅ガイド３９の排紙トレイ２８に対する位置との関係の適否が判断される。
【００６８】
この結果、プリンタコントローラ３５により、原稿のサイズと、原稿ストッパ３０、第１原稿幅ガイド３４及び第２原稿幅ガイド３９の排紙トレイ２８に対する位置との関係が否と判断された場合、換言すれば、原稿のサイズが、原稿ストッパ３０、第１原稿幅ガイド３４及び第２原稿幅ガイド３９の排紙トレイ２８に対する位置により特定される原稿収納可能サイズよりも大きいと判断された場合には、プリンタコントローラ３５により駆動部５１が駆動制御され、原稿ストッパ３０、第１原稿幅ガイド３４及び第２原稿幅ガイド３９が任意の位置（原稿ストッパ３０、第１原稿幅ガイド３４及び第２原稿幅ガイド３９とで区画された領域が原稿収納可能サイズ）になるように移動される。
【００６９】
以上のように、原稿ストッパ３０、第１原稿幅ガイド３４及び第２原稿幅ガイド３９とで区画された領域が原稿収容可能サイズとなるように、原稿ストッパ３０、第１原稿幅ガイド３４及び第２原稿幅ガイド３９の位置が自動的に調整されるため、原稿の排出不良を防止することができる。
【００７０】
なお、原稿検出センサ２６により原稿のサイズを特定する構成に限られるものではなく、例えば、操作部２７により画像が読み取られる原稿のサイズが入力又は選択された場合にも、この入力結果又は選択結果と、位置決め部検出センサ４４による検出結果とに基づいて、原稿のサイズと、原稿ストッパ３０、第１原稿幅ガイド３４及び第２原稿幅ガイド３９の排紙トレイ２８に対する位置との関係の適否を判断し、原稿ストッパ３０、第１原稿幅ガイド３４及び第２原稿幅ガイド３９の排紙トレイ２８に対する位置を自動的に調整してもよい。
【００７１】
また、スキャナ２９単独で構成された画像読取装置においては、原稿のサイズと原稿位置決め部（原稿ストッパ３０、第１原稿幅ガイド３４及び第２原稿幅ガイド３９）の排紙トレイ２８に対する位置との関係を制御するプリンタコントローラ３５と液晶表示部２７Ａなどの報知部を、スキャナ２９側に設けた構成でもよい。
【図面の簡単な説明】
【００７２】
【図１】本発明の第１実施形態に係る画像読取装置を備えた画像形成装置の外観斜視図である。
【図２】本発明の第１実施形態に係る画像読取装置を備えた画像形成装置の排紙トレイ上の位置決め部を示した要部拡大図である。
【図３】本発明の第１実施形態に係る画像読取装置を備えた画像形成装置の部分的な正面図である。
【図４】本発明の第１実施形態に係る画像読取装置を備えた画像形成装置の内部構成図である。
【図５】本発明の第２実施形態に係る画像読取装置を備えた画像形成装置の内部構成図である。
【符号の説明】
【００７３】
１０      画像形成装置
１１      画像読取装置
２１      原稿トレイ
２６      原稿検出センサ（第１検出部）
２７      操作部
２７Ａ    液晶表示部（報知部）
２８      排紙トレイ
３０      原稿ストッパ（原稿位置決め部）
３４      第１原稿幅ガイド（原稿位置決め部）
３５      プリンタコントローラ（制御部）
３９      第２原稿幅ガイド（原稿位置決め部）
４４      位置決め部検出センサ（第２検出部、検出部）
４９      スピーカ（報知部）
５１      駆動部
【図１】
2008199295.tif 000003
【図２】
2008199295.tif 000004
【図３】
2008199295.tif 000005
【図４】
2008199295.tif 000006
【図５】
2008199295.tif 000007